(57)【要約】【課題】システムに属するべき１つまたは複数の無線通信装置に対して、適切な共通するシステムＩＤを登録できる機能を、簡易な構成で実現することのできるシステムＩＤの設定システムを提供する。【解決手段】親機装置がシステムＩＤを送信し、子機装置が親機装置から無線送信されたシステムＩＤを受信する。子機装置は、システムＩＤの受信時の受信信号強度と自装置の属性情報とを格納したシステム参加要求を親機装置へ送信し、親機装置が１つまたは複数の子機装置より受信したシステム参加要求に基づいて、受信信号強度の強い順に、システムＩＤの登録要求対象の子機装置を特定する。そして親機装置は、特定した子機装置に対して登録要求を送信し、子機装置が、親機装置からシステムＩＤの登録要求を受信した場合に当該システムＩＤをメモリ等に登録する処理を行う。【選択図】図２
2011097292.tif 000002
【特許請求の範囲】
【請求項１】
親機装置と子機装置とを備えたシステムＩＤの設定システムであって、
前記子機装置が、
前記親機装置から無線送信されたシステムＩＤを受信するシステムＩＤ受信部と、
前記システムＩＤの受信時の受信信号強度と自装置の属性情報とを格納したシステム参加要求を前記親機装置へ送信するシステム参加要求部と、
前記親機装置から前記システムＩＤの登録要求を受信した場合に当該システムＩＤをシステムＩＤ記憶部に登録するシステムＩＤ登録部と、を備え、
前記親機装置が、
前記システムＩＤを送信するシステムＩＤ送信部と、
１つまたは複数の前記子機装置より受信したシステム参加要求に基づいて、前記受信信号強度の強い順に、前記システムＩＤの登録要求対象の子機装置を特定する登録要求対象特定部と、
前記特定した子機装置に対して前記登録要求を送信する登録要求送信部と、
を備えることを特徴とする設定システム。
【請求項２】
前記子機装置の前記システム参加要求部は、自装置に設けられた入力部の入力信号を検出した場合に、前記システム参加要求を前記親機装置へ送信する
ことを特徴とする請求項１に記載の設定システム。
【請求項３】
前記子機装置の前記システム参加要求部は、前記入力信号が示す入力キー種別を格納した前記システム参加要求を前記親機装置へ送信し、
前記親機装置の登録要求対象特定部は、前記システム参加要求に格納される入力キー種別が予め定められた入力キー種別である場合に、当該システム参加要求を送信した子機装置の中から、前記システムＩＤの登録要求対象の子機装置を特定する
ことを特徴とする請求項２に記載の設定システム。
【請求項４】
前記親機装置の前記システムＩＤ送信部は、システムＩＤとともに入力キー種別を前記子機装置へ送信し、
前記子機装置の前記システム参加要求部は、自装置に設けられた入力部の入力信号を検出した場合であって、当該入力信号が前記入力キー種別を示す信号である場合に、前記システム参加要求を前記親機装置へ送信する
ことを特徴とする請求項１または請求項２に記載の設定システム。
【請求項５】
前記子機装置は自装置の電源投入後、前記システムＩＤの設定処理の開始を検出するシステムＩＤ設定開始検出部を備えることを特徴とする請求項１から請求項４のいずれかに記載の設定システム。
【請求項６】
前記子機装置は、前記システムＩＤの前記システムＩＤ記憶部への登録後、前記親機装置へ登録完了通知を送信する登録完了通知送信部と、
を備えることを特徴とする請求項１から請求項５の何れかに記載の設定システム。
【請求項７】
前記親機装置の前記システムＩＤ送信部は、前記前記システムＩＤの登録要求対象の子機装置のうち、前記登録完了通知の無い子機装置に対して、前記登録要求を再送信する
ことを特徴とする請求項６に記載の設定システム。
【請求項８】
前記親機装置は、前記システム参加要求に基づいて、前記受信信号強度の順に前記子機装置の属性情報を表示した子機リストを出力する子機リスト生成部と、を備え、
前記親機装置の前記登録要求対象特定部は、前記子機リストにおいて選択された前記属性情報の子機装置を、前記システムＩＤの登録要求対象の子機装置と特定する
ことを特徴とする請求項１から請求項７の何れかに記載の設定システム。
【請求項９】
親機装置と子機装置とを備えたシステムＩＤの設定システムにおける設定方法であって、
前記親機装置のシステムＩＤ送信部が、前記システムＩＤを送信し、
前記子機装置のシステムＩＤ受信部が、前記親機装置から無線送信されたシステムＩＤを受信し、
前記子機装置のシステム参加要求部が、前記システムＩＤの受信時の受信信号強度と自装置の属性情報とを格納したシステム参加要求を前記親機装置へ送信し、
前記親機装置の登録要求対象特定部が、１つまたは複数の前記子機装置より受信したシステム参加要求に基づいて、前記受信信号強度の強い順に、前記システムＩＤの登録要求対象の子機装置を特定し、
前記親機装置の登録要求送信部が、前記特定した子機装置に対して前記登録要求を送信し、
前記子機装置のシステムＩＤ登録部が、前記親機装置から前記システムＩＤの登録要求を受信した場合に当該システムＩＤをシステムＩＤ記憶部に登録する
ことを特徴とする設定方法。
【発明の詳細な説明】
【技術分野】
【０００１】
本発明は、システムに参加する装置に対してシステムＩＤを設定する設定システムおよび設定方法に関する。
【背景技術】
【０００２】
複数の無線通信装置を同一のシステムとして機能させるにあたり、システムを識別するための共通のシステムＩＤを当該システムに属する各無線通信装置に対して登録する技術が必要な場合がある。そして、このような各無線通信装置に対してシステムＩＤを登録させる際の技術として、特許文献１〜３が開示されている。
【先行技術文献】
【特許文献】
【０００３】
【特許文献１】特開２００２−１４２０１３号公報
【特許文献２】特開２００２−３５４５５９号公報
【特許文献３】特開２００６−２３７８７２号公報
【発明の概要】
【発明が解決しようとする課題】
【０００４】
ここで、特許文献１の技術は、子局が親局ＩＤの送信要求を親局へ無線送信し、親局は子局からのＩＤ送信要求をＩＤ送信モード設定中に受信すると親局ＩＤを子局へ送信し、子局が、親局から受信した親局ＩＤを登録するものである。
また、特許文献２の技術は、コントロール装置及び無線子機を一定の時間だけ登録可能な状態に移行させて、その間に無線通信によりシステムＩＤ、ノードＩＤを登録するものである。
また、特許文献３の技術は、システム内の装置へのシステムＩＤの付与時に、無線出力を最小とし、近隣システムにおけるシステムＩＤの誤登録を防ぐものである。
【０００５】
しかしながら、特許文献１および特許文献２の技術は、複数の無線通信装置に対して共通のシステムＩＤを登録する処理を行うシステムが隣接する空間に複数存在する場合であって、相互のシステムにおいて相手側のシステムの無線通信が傍受できるような環境にある場合には、一方のシステムに属する無線通信装置が、隣接する他方のシステムに属する無線通信装置に登録されるべきシステムＩＤを、誤って自装置に登録してしまう可能性がある。
【０００６】
例えば、レストランなどのオーダリングシステムは、複数の隣接する店舗で利用される可能性が高いが、一方のレストランのオーダリングシステムと、他方のレストランのオーダリングシステムとは、それぞれ異なるシステムＩＤが登録されるべきである。しかしながら、上述のような相互のレストランのオーダリングシステムにおいて、相手側のシステムの無線通信が傍受できるような環境にある場合には、一方のオーダリングシステムに属する装置と、他方のオーダリングシステムに属する装置とに、共通のシステムＩＤが登録されてしまう可能性があり、これにより、一方のオーダリングシステムで送信された注文データを、他方のオーダリングシステムで受信するといった問題が発生する。
【０００７】
そして、この課題を解決するために、特許文献３のような無線出力を最小とする技術が存在するが、無線出力を可変にするような仕組みを備えた無線通信装置は、そのハードウェア機能が増えることによりコストが増大することにつながる。したがって、上記のような状況下における複数の隣接するシステムそれぞれの各無線通信装置に対して、より簡易な構成で、適切なシステムＩＤを登録できる技術が望まれている。
【０００８】
そこでこの発明は、１つのあるシステムに属するべき１つまたは複数の無線通信装置に対して、適切な共通するシステムＩＤを登録できる機能を、簡易な構成で実現することのできるシステムＩＤの設定システムおよび設定方法を提供することを目的としている。
【課題を解決するための手段】
【０００９】
上記目的を達成するために、本発明は、親機装置と子機装置とを備えたシステムＩＤの設定システムであって、前記子機装置が、前記親機装置から無線送信されたシステムＩＤを受信するシステムＩＤ受信部と、前記システムＩＤの受信時の受信信号強度と自装置の属性情報とを格納したシステム参加要求を前記親機装置へ送信するシステム参加要求部と、前記親機装置から前記システムＩＤの登録要求を受信した場合に当該システムＩＤをシステムＩＤ記憶部に登録するシステムＩＤ登録部と、を備え、前記親機装置が、前記システムＩＤを送信するシステムＩＤ送信部と、１つまたは複数の前記子機装置より受信したシステム参加要求に基づいて、前記受信信号強度の強い順に、前記システムＩＤの登録要求対象の子機装置を特定する登録要求対象特定部と、前記特定した子機装置に対して前記登録要求を送信する登録要求送信部と、を備えることを特徴とする設定システムである。
これにより、親機装置は、子機装置がシステム内に存在する可能性を考慮しつつ、子機装置にシステムＩＤを付与することができる。
【００１０】
また本発明は、上述の設定システムにおいて、前記子機装置の前記システム参加要求部が、自装置に設けられた入力部の入力信号を検出した場合に、前記システム参加要求を前記親機装置へ送信することを特徴とする。
これにより、子機装置から親機装置へのシステムＩＤ登録要求の送信が、使用者等が子機装置の入力部に何らかの入力操作をした場合にのみ実施されるため、親機装置側で受信されるシステムＩＤの登録要求をより厳選したものとすることができ、結果として、子機装置の別システムのシステムＩＤ誤付与の可能性を低減することができる。
【００１１】
また本発明は、上述の設定システムにおいて、前記子機装置の前記システム参加要求部が、前記入力信号が示す入力キー種別を格納した前記システム参加要求を前記親機装置へ送信し、前記親機装置の登録要求対象特定部が、前記システム参加要求に格納される入力キー種別が予め定められた入力キー種別である場合に、当該システム参加要求を送信した子機装置の中から、前記システムＩＤの登録要求対象の子機装置を特定することを特徴とする。
これにより、子機装置から親機装置へのシステムＩＤ登録要求の送信が、使用者等が子機装置の入力部に何らかの入力操作をした場合にのみ実施され、且つ、親機装置側では、システムＩＤの登録要求対象の子機装置を、受信した登録要求の中に予め定められた入力キー種別があるものにのみ限定することができるため、結果として、子機装置の別システムのシステムＩＤ誤付与の可能性を、より一層低減することができる。
【００１２】
また本発明は、上述の設定システムにおいて、前記親機装置の前記システムＩＤ送信部が、システムＩＤとともに入力キー種別を前記子機装置へ送信し、前記子機装置の前記システム参加要求部が、自装置に設けられた入力部の入力信号を検出した場合であって、当該入力信号が前記入力キー種別を示す信号である場合に、前記システム参加要求を前記親機装置へ送信することを特徴とする。
これにより、子機装置から親機装置へのシステムＩＤ登録要求の送信が、使用者等が子機装置の入力部に予め定められた入力キー種別を入力した場合にのみ実施されるため、子機装置から親機装置へ送信されるシステムＩＤ登録要求自身が厳選され、結果として、子機装置の別システムのシステムＩＤ誤付与の可能性を、より一層低減することができる。
【００１３】
また本発明は、上述の設定システムにおいて、前記子機装置が、自装置の電源投入後、前記システムＩＤの受信待機を行う受信待機部を備えることを特徴とする。
これにより、子機装置は、システムＩＤの登録設定を、使用者の手を煩わすことなく開始することができる。
【００１４】
また本発明は、上述の設定システムにおいて、前記子機装置が、前記システムＩＤの前記システムＩＤ記憶部への登録後、前記親機装置へ登録完了通知を送信する登録完了通知送信部と、を備えることを特徴とする。
これにより、親機装置は、システムＩＤの登録を正しく完了した子機装置認識することができる。
【００１５】
また本発明が、上述の設定システムにおいて、前記親機装置の前記システムＩＤ送信部は、前記前記システムＩＤの登録要求対象の子機装置のうち、前記登録完了通知の無い子機装置に対して、前記登録要求を再送信することを特徴とする。
これにより、例えば電波状況の変動等に起因してたまたまシステムＩＤの登録に失敗した子機装置に対しても、再登録の機会を与えることができ、結果として、システムＩＤが未登録のままの子機装置を低減することができる。
【００１６】
また本発明は、上述の設定システムにおいて、前記親機装置が、前記システム参加要求に基づいて、前記受信信号強度の順に前記子機装置の属性情報を表示した子機リストを出力する子機リスト生成部を備え、前記親機装置の前記登録要求対象特定部が、前記子機リストにおいて選択された前記属性情報の子機装置を、前記システムＩＤの登録要求対象の子機装置と特定することを特徴とする。
これにより、親機装置は、子機装置に対する自動的なシステムＩＤ登録処理が実施可能であることに加え、使用者等に、手動でシステムＩＤ登録処理を行う上での子機装置選択のための判断情報（子機リスト）を提供することができる。
【００１７】
また本発明は、親機装置と子機装置とを備えたシステムＩＤの設定システムにおける設定方法であって、前記親機装置のシステムＩＤ送信部が、前記システムＩＤを送信し、前記子機装置のシステムＩＤ受信部が、前記親機装置から無線送信されたシステムＩＤを受信し、前記子機装置のシステム参加要求部が、前記システムＩＤの受信時の受信信号強度と自装置の属性情報とを格納したシステム参加要求を前記親機装置へ送信し、前記親機装置の登録要求対象特定部が、１つまたは複数の前記子機装置より受信したシステム参加要求に基づいて、前記受信信号強度の強い順に、前記システムＩＤの登録要求対象の子機装置を特定し、前記親機装置の登録要求送信部が、前記特定した子機装置に対して前記登録要求を送信し、前記子機装置のシステムＩＤ登録部が、前記親機装置から前記システムＩＤの登録要求を受信した場合に当該システムＩＤをシステムＩＤ記憶部に登録することを特徴とする設定方法である。
【発明の効果】
【００１８】
本発明によれば、親機装置から送信したシステムＩＤを所定の受信強度閾値以上の受信強度で受信した子機装置を、子機リストの中から特定し、その子機装置に対してシステムＩＤを登録している。これにより、システムＩＤの送信強度を可変にするハードウェア機能を親機装置に備える代わりに、親機装置や子機装置に、子機リストの生成処理や受信強度の検出処理等のソフトウェアで実現できる簡易な機能を追加するだけで、親機装置のユーザが望む適切な子機装置に対して、共通するシステムＩＤを登録することができる。
【図面の簡単な説明】
【００１９】
【図１】システムＩＤの設定システムの構成を示すブロック図である。
【図２】親機装置と子機装置の機能ブロック図である。
【図３】第１の実施形態による設定システムの処理フローを示す図である。
【図４】生成直後の子機リストの表示イメージを示す図である。
【図５】登録完了済みの子機リストの表示イメージを示す図である。
【図６】登録未完了の子機リストの表示イメージを示す図である。
【図７】第２の実施形態による設定システムの処理フローを示す図である。
【図８】第３の実施形態による設定システムの処理フローを示す図である。
【図９】第４の実施形態による設定システムの処理フローを示す図である。
【発明を実施するための形態】
【００２０】
以下、本発明の一実施形態によるシステムＩＤの設定システムを図面を参照して説明する。
図１は同実施形態によるシステムＩＤの設定システムの構成を示すブロック図である。
この図において、符号１は親機装置、２は子機装置である。ここで、設定システム内において、親機装置１は、システムＩＤを子機装置２に対して登録するよう要求する装置である。また子機装置２は、親機装置１からのシステムＩＤの登録の要求に応じて、自装置のメモリ等にシステムＩＤを登録する処理を行う装置である。ここで、本実施形態による設定システムは、例えばレストランのオーダリングシステムの１機能として備えられる。例えば、オーダリングシステムには、レストランフロアにおいて店員が注文の入力を受け付けるハンディターミナル、注文の情報を厨房やレジカウンタなどで表示するディスプレイ装置、注文の情報をプリントアウトする無線プリンタ、注文データの管理を行う注文データ制御装置などが、１つまたは複数備えられているが、これらの何れかの１つの装置が親機装置１の処理を行い、他の装置が子機装置２の処理を行うこととなる。
【００２１】
図２は親機装置と子機装置の機能ブロック図である。
この図で示すように、親機装置１は、無線通信部１１、設定モード検出部１２、システムＩＤ送信部１３、子機リスト生成部１４、登録要求対象特定部１５、システムＩＤ登録要求部１６を備えている。
ここで、無線通信部１１は子機装置２と無線による通信を行う処理部である。また設定モード検出部１２は、装置の動作モードがシステムＩＤの設定モードであることを検出する処理部である。またシステムＩＤ送信部１３は、設定モード検出部１２がシステムＩＤの設定モードであることを検出したことを受けて、システムＩＤを子機装置２へ無線通信部１１を介して送信する処理部である。また子機リスト生成部１４は、無線通信部１１を介して子機装置２から受信した情報に基づいて子機リストを生成する処理部である。また登録要求対象特定部１５は、子機リスト生成部１４が生成した子機リストの中からシステムＩＤを登録するよう要求する対象の子機装置２を特定する処理部である。またシステムＩＤ登録要求部１６は、登録要求対象特定部１５が特定した子機装置２に対して、システムＩＤを登録するよう要求する情報を無線通信部１１を介して送信する処理部である。
【００２２】
また子機装置２は、無線通信部２１、システムＩＤ設定開始検出部２２、システムＩＤ受信部２３、システム参加要求部２４、システムＩＤ登録部２５、登録完了通知送信部２６を備えている。
ここで無線通信部２１は親機装置１と無線による通信を行う通信処理部である。またシステムＩＤ設定開始検出部２２は、装置の動作モードがシステムＩＤの設定開始の処理を行う設定モードであることを検出する処理部である。またシステムＩＤ受信部２３は、親機装置１の送信したシステムＩＤを無線通信部２１を介して受信し、その際の受信強度を測定する処理部である。またシステム参加要求部２４は、システムＩＤ受信部２３からシステムＩＤおよび当該システムＩＤ受信時の電波強度を取得して、自装置の属性情報やシステムＩＤの受信時の受信強度を格納したシステム参加要求を作成し、親機装置１へ送信する処理部である。またシステムＩＤ登録部２５は親機装置１から無線通信部２１を介してシステムＩＤの登録要求の通知を受けた場合に自装置のメモリ等にシステムＩＤを登録する処理部である。また登録完了通知送信部２６は、システムＩＤ登録部２５がシステムＩＤをメモリ等に登録したことを受けて、親機装置１に対して無線通信部２１を介してシステムＩＤの登録完了の通知を行う処理部である。
【００２３】
そして、本実施形態によるシステムＩＤの設定システムは、親機装置１が、システムＩＤを送信し、子機装置２が、親機装置１から無線送信されたシステムＩＤを受信する。そして、子機装置２は、システムＩＤの受信時の受信信号強度と自装置の属性情報とを格納したシステム参加要求を親機装置１へ送信し、親機装置１が、１つまたは複数の子機装置２より受信したシステム参加要求に基づいて、受信信号強度の強い順に、システムＩＤの登録要求対象の子機装置２を特定する。そして、親機装置１は、特定した子機装置２に対して登録要求を送信し、子機装置２が、親機装置１からシステムＩＤの登録要求を受信した場合に当該システムＩＤをメモリ等（システムＩＤ記憶部（図示せず））に登録する処理を行う。
このような処理により、１つのあるシステムに属するべき１つまたは複数の無線通信装置に対して、適切な共通するシステムＩＤを登録できる機能を、簡易な構成で実現することのできるシステムＩＤの設定システムを提供することができる。
【００２４】
図３は第１の実施形態による設定システムの処理フローを示す図である。
次に第１の実施形態による設定システムの処理フローについて説明する。
子機装置２のシステムＩＤ設定開始検出部２２が、システムＩＤの設定開始の処理を行うモードにあることを検出する。これは例えば、子機装置２に電源が投入されたりある特定の操作がなされたりすると、子機装置２は図示しないメモリにシステムＩＤが登録済みであるか否かを確認し、システムＩＤが未登録である場合に、システムＩＤの設定開始処理を行うモードにあると検知するようにしてもよい。ここでは子機装置２に電源が投入された場合を説明する。
まず、子機装置２に電源が投入されると、システムＩＤ設定開始検出部２２が電源投入に基づくシステムＩＤの設定開始を検出し、システムＩＤ受信部２３、システム参加要求部２４、システムＩＤ登録部２５にシステムＩＤの設定処理の開始を命令する。これにより子機装置２ではシステムＩＤの受信待機の状態に移行する。そして、親機装置１において、何らかのシステムＩＤ送信の開始の情報が入力されると、設定モード検出部１２がシステムＩＤ設定モードであることを検出し、システムＩＤ送信部１３、子機リスト生成部１４、登録要求対象特定部１５に対してシステムＩＤの設定処理を開始した旨を示す信号を送信する。これにより親機装置１ではシステムＩＤの設定モードの状態に移行する。
【００２５】
システムＩＤ設定モードの状態になると、親機装置１のシステムＩＤ送信部１３は、図示しないメモリ等からシステムＩＤを読み取って、無線通信部１１を介してシステムＩＤを送信する（ステップＳ１０１）。このシステムＩＤの送信は例えば、ブロードキャストにより行われる。そして、子機装置２においてシステムＩＤ受信部２３が無線通信部２１を介してシステムＩＤを受信する（ステップＳ１０２）。ここで、システムＩＤ受信部２３は、システムＩＤを受信した際の受信強度を検出する機能を備えており、システムＩＤと検出した受信強度とをシステム参加要求部２４に送信する。するとシステム参加要求部２４は、システムＩＤを一時的に図示しないメモリに記録するとともに、メモリの属性情報記憶領域から子機装置２の属性情報（例えば、ＭＡＣアドレス、装置番号、装置種別などの情報）を読み取り、受信したシステムＩＤとその受信強度と読み取った属性情報とを格納したシステム参加要求の情報を生成する。そしてシステム参加要求部２４は、生成したシステム参加要求を、無線通信部２１を介して親機装置１へユニキャストにより送信する（ステップＳ１０３）。なお、親機装置１から送信されたシステムＩＤを、複数の子機装置２が受信した場合には、それら各子機装置２がシステム参加要求を親機装置１へ送信することとなる。
【００２６】
次に、システム参加要求を受信した親機装置１は、子機リスト生成部１４が無線通信部１１を介してシステム参加要求を受信する。そして、子機リスト生成部１４は、各システム参加要求から受信強度と子機装置２の属性情報を読み取り、各属性情報を、受信強度の強い順に並べた子機リストを生成する（ステップＳ１０４）。ここで、所定の受信強度閾値がメモリ等に記録されており、次に、登録要求対象特定部１５は、この受信強度閾値をメモリ等から読み取って、その閾値以上の受信強度の属性情報を子機リストから特定する（ステップＳ１０５）。この特定した属性情報の子機装置２が、システムＩＤの登録対象となる。なお、所定の受信強度閾値は、子機装置２が壁等を隔てずに予め定められた親機装置１と近いとみなされる位置に存在する際に、親機装置１から無線によるシステムＩＤを受信したときに検出できる受信強度の最低の値を示している。そしてこの受信強度閾値は、例えば実験等によって決められた値である。親機装置１と、どの程度距離が近い場合に同じシステムとみなすかの規定に応じて、この値は変化する。そして、登録要求対象特定部１５は、特定した属性情報の子機装置２に対して、それぞれユニキャストによりシステムＩＤの登録要求を送信する（ステップＳ１０６）。
【００２７】
登録要求対象となった子機装置２の無線通信部２１はシステムＩＤの登録要求を受信すると（ステップＳ１０７）、その登録要求の情報をシステムＩＤ登録部２５に送信する。そして、システムＩＤ登録部２５が登録要求の受信を検出し、これにより、メモリ等に一時的に記憶しておいたシステムＩＤを、所定のメモリのシステムＩＤの記憶領域に登録する（ステップＳ１０８）。そして、登録が完了すると、子機装置２の登録完了通知送信部２６が、自装置の属性情報を格納した登録完了通知を、無線通信部２１を介して親機装置１へ送信する（ステップＳ１０９）。
【００２８】
親機装置１においては、無線通信部１１を介して子機リスト生成部１４が登録完了通知を受信すると、当該登録完了通知から属性情報を読み取る。ここで、子機リスト生成部１４が既に生成済みの子機リストは、例えば、親機装置１のメモリ等に記録されており、各子機装置２の属性情報に対応付けて登録未完了の情報が対応付けられているものとする。このような状況において、子機リスト生成部１４は、登録完了通知から読み取った属性情報に対応する登録未完了の情報を登録完了に書き換える。すなわち、子機リストの情報を更新する（ステップＳ１１０）。これにより、親機装置１の記憶する子機リストの各属性情報は、登録完了または登録未完了のどちらかの情報を保持することとなる。
ここで、親機装置１の子機リスト生成部１４は、登録完了または登録未完了の情報に基づいて、システムＩＤの登録完了の子機装置２、またはシステムＩＤの登録未完了の子機装置２を表示部に表示するようにしてもよい。
また、親機装置１のシステムＩＤ送信部１３は、最初のシステムＩＤの送信から所定の時刻経過したときに、子機リストを参照し、登録未完了の子機装置２の属性情報を読み取り、所定の時刻を経過しても登録未完了の子機装置２に対して、その属性情報に基づいてシステムＩＤの再送信をユニキャストで送るようにしてもよい。また、子機装置２においては、システム参加要求を送信した後、登録要求を受信できない時間が所定の閾値以上続いた場合には、システム参加要求の再送信や、ＮＧを示す登録完了通知を送信するようにしてもよい。そして、システム参加要求の再送信や、ＮＧを示す登録完了通知に基づいて親機装置１が、登録要求対象の子機装置２に登録要求を再送信するようにしてもよい。
【００２９】
また、上述の処理においては、子機装置２が、ステップＳ１０２で親機装置１から無線送信されたシステムＩＤの受信した際、受信強度がある閾値以下であれば、親機装置１に対してシステム参加要求を行わないようにしてもよい。
複数の子機装置２が存在し、子機装置２同士が互いの通信電波を確認できる位置関係にある場合、各子機装置２は、ステップＳ１０３において、他の子機装置２の通信電波の発信状況を確認し、発信信号が衝突しないようなタイミングでシステム参加要求を親機装置１に送信する。しかし、子機装置２同士が互いの通信電波を確認できない位置関係にある場合、各子機装置２は、ステップＳ１０３において、発信のタイミングを考慮せずにシステム参加要求を親機装置１に送信する。そのため、複数の子機装置２からほぼ同時にシステム参加要求が送信され、無線が衝突する恐れがあり、この場合、親機装置１はいつまでも子機装置２からシステム参加要求を受信できないことになる。よって、子機装置２が、ステップＳ１０２において取得する受信強度の値に応じて、ステップＳ１０３のシステム参加要求の送信を行わないようにすることで、無線の衝突を防ぐことができる。さらに、親機装置１には、受信強度がある閾値以上である子機装置２からのシステム参加要求のみが受信され、子機リストとして生成されるため、言わば、厳選された子機装置２に関する子機リストが生成される。よって、親機装置１のステップＳ１０５における登録対象の子機装置２の特定の確度をより向上させることができる。
【００３０】
また、子機装置２のシステムＩＤ受信部２３が受信強度を検出する機能を備える代わりに、親機装置１の子機リスト生成部１４が受信強度を検出する機能を備えさせてもよい。
この場合、上述の処理においては、子機装置２は、ステップＳ１０２において受信強度を「０」としたシステム参加要求を作成して親機装置１に送信し、親機装置１では、受信強度が「０」のシステム参加要求を受信して、子機リスト生成部１４において受信強度を測定する。これにより子機装置２に受信強度の測定機能を盛り込まなくて済むため、装置としての構成や機能を簡素化することができる。
なお、ステップＳ１０２において子機装置２から送信されるシステム参加要求に受信強度の値が含まれていても、親機装置１において受信強度を測定し、両方の装置が作成した受信強度を加味した子機リストを作成するようにしてもよい。電波環境は刻々と変化するため、複数の受信強度を加味することで受信強度の値の信憑性を高めることができる。そして、親機装置１のステップＳ１０５における登録対象の子機装置２の特定の確度をより向上させることができる。
【００３１】
また、上述の処理においては、親機装置１の登録要求対象特定部１５が、受信強度閾値以上の受信強度とともにシステム参加要求で送信された子機装置２の属性情報に基づいて、自動的に登録要求の対象となる子機装置２を特定する処理について記載したが、その他、子機リストを親機装置１が具備する表示部に表示し、ユーザの選択に基づいて、登録要求の対象となる子機装置２を特定するようにしてもよい。この場合、例えば表示部がタッチパネル等の入力機能を備え、子機リストの一覧において、どの属性情報がタッチされたかを検出することにより、子機装置２を特定するようにしてもよい。
【００３２】
図４は、ステップＳ１０４で子機リストを生成した直後の子機リストの表示イメージを示す図である。
図５は、ステップＳ１１０で子機リストを更新した後の、登録完了済みの子機リストの表示イメージを示す図である。
図６は、ステップＳ１１０で子機リストを更新した後の、登録未完了の子機リストの表示イメージを示す図である。
図４で示すように、子機リストには、各子機装置２の装置種別（ＰＲ（プリンタ）、ＨＴ（ハンディターミナル）等）と、属性情報（ＭＡＣアドレス等）、受信強度などの情報が対応付けられて表示されたリストであり、受信強度の強い順に上から表示される。そして、この子機リストには、システムＩＤ登録のボタンが表示されており、この表示部において、特定の子機装置２の情報とシステムＩＤ登録のボタンをユーザが押下することにより、親機装置１が特定の子機装置２に対してシステムＩＤの登録要求の送信を開始するようにしてもよい。また、特定の子機装置２の情報を押下せずにシステムＩＤ登録ボタンのみを押下することで、現在リスト表示されている子機装置２全てに対してシステムＩＤの登録要求の送信を開始するようにしてもよい。
そして、システムＩＤの登録要求を送信後、子機リスト生成部１４は、子機装置２から受信した登録完了／登録未完了の情報に基づいて、図５で示すような登録完了した子機装置２の一覧である登録完了子機リスト、図６で示すような登録未完了の子機装置２の一覧である未登録子機リストを生成し、ユーザの操作に基づいて、順に表示するようにしてもよい。また図６において、登録未完了の子機装置２の情報と、システムＩＤ登録のボタンを押下することで、再度システムＩＤの登録要求の送信をするようにしてもよい。これにより、子機装置２が、一時的な通信環境の乱れなどにより登録未完了のままとなる可能性を低減させることができる。
【００３３】
以上の処理によれば、親機装置１が、子機リストの中から、当該親機装置１の送信したシステムＩＤを所定の受信強度閾値以上の受信強度で受信した子機装置２を特定し、その子機装置２に対して登録要求を送信しシステムＩＤを登録している。これにより、システムＩＤの送信強度を可変にするハードウェア機能を親機装置１に備える代わりに、親機装置１や子機装置２に、子機リストの生成処理や受信強度の検出処理等のソフトウェアで実現できる簡易な機能を追加すれば、親機装置１のユーザが望む適切な子機装置２に対して、共通するシステムＩＤを登録できる。
【００３４】
図７は第２の実施形態による設定システムの処理フローを示す図である。
次に第２の実施形態による設定システムの処理フローについて説明する。
第１の実施形態同様に、まず、子機装置２に電源が投入されると、システムＩＤ設定開始検出部２２が電源投入に基づくシステムＩＤの設定開始を検出し、システムＩＤ受信部２３、システム参加要求部２４、システムＩＤ登録部２５にシステムＩＤの設定処理の開始を命令する。これにより子機装置２ではシステムＩＤの受信待機の状態に移行する。
そして、親機装置１において、何らかのシステムＩＤ送信の開始の情報が入力されると、設定モード検出部１２がシステムＩＤ設定モードであることを検出し、システムＩＤ送信部１３、子機リスト生成部１４、登録要求対象特定部１５に対してシステムＩＤの設定処理を開始した旨を示す信号を送信する。これにより親機装置１ではシステムＩＤの設定モードの状態に移行する。
【００３５】
システムＩＤ設定モードの状態になると、親機装置１のシステムＩＤ送信部１３は、メモリ等からシステムＩＤ読み取って、無線通信部１１を介して、システムＩＤを送信する（ステップＳ２０１）。このシステムＩＤの送信は例えば、ブロードキャストにより行われる。そして、子機装置２においてシステムＩＤ受信部２３が無線通信部２１を介してシステムＩＤを受信する（ステップＳ２０２）。ここで、システムＩＤ受信部２３は、システムＩＤと検出した受信強度とをシステム参加要求部２４に送信する。この処理までは、第１実施形態の処理と同様である。
【００３６】
そして、子機装置２のシステム参加要求部２４は、システム参加要求の情報の生成後、子機装置２が具備する表示部などに子機装置２に備えられている所定のキー（またはどのキーの押下でも許容するように制御してもよい）を押下するようユーザに指示する表示を出力する。そして、ユーザによってキーが押下されたことを検出すると（ステップＳ２０３）、キーが押下された子機装置２のシステム参加要求部２４は、システムＩＤを一時的にメモリに記録するとともに、メモリの属性情報記憶領域から子機装置２の属性情報を読み取り、システムＩＤと受信強度と属性情報とを格納したシステム参加要求の情報を生成する。システム参加要求部２４は、生成したシステム参加要求を、無線通信部２１を介して親機装置１へユニキャストにより送信する（ステップＳ２０４）。以降のステップＳ２０５〜ステップＳ２１１の処理は、それぞれ、第１の実施形態におけるステップＳ１０４〜ステップＳ１１０と同様である。
【００３７】
この処理によれば、第１の実施形態の処理の中に、子機装置２においてキーが押下されたことを検出するだけのソフトウェアの簡易な機能処理を追加したものである。また、システムＩＤを親機装置１から受信した子機装置２のうち、システムＩＤの登録処理を行っていることを知っているユーザのみが、子機装置２を操作して、所定のキーを押下する可能性が高いので、簡易な構成の追加だけで、１つのあるシステムに属するべき１つまたは複数の無線通信装置に対して、適切な共通するシステムＩＤを登録できる機能を備えるシステムＩＤの設定システムを提供することが可能となる。そして、子機装置２の別システムのシステムＩＤ誤付与の可能性を低減することができる。
【００３８】
図８は第３の実施形態による設定システムの処理フローを示す図である。
次に第３の実施形態による設定システムの処理フローについて説明する。
第１の実施形態同様に、まず、子機装置２に電源が投入されると、システムＩＤ設定開始検出部２２が電源投入に基づくシステムＩＤの設定開始を検出し、システムＩＤ受信部２３、システム参加要求部２４、システムＩＤ登録部２５にシステムＩＤの設定処理の開始を命令する。これにより子機装置２ではシステムＩＤの受信待機の状態に移行する。
そして、親機装置１において、何らかのシステムＩＤ送信の開始の情報が入力されると、設定モード検出部１２がシステムＩＤ設定モードであることを検出し、システムＩＤ送信部１３、子機リスト生成部１４、登録要求対象特定部１５に対してシステムＩＤの設定処理を開始した旨を示す信号を送信する。これにより親機装置１ではシステムＩＤの設定モードの状態に移行する。
【００３９】
システムＩＤ設定モードの状態になると、親機装置１のシステムＩＤ送信部１３は、メモリ等からシステムＩＤ読み取って、無線通信部１１を介して、システムＩＤを送信する（ステップＳ３０１）。このシステムＩＤの送信は例えば、ブロードキャストにより行われる。そして、子機装置２においてシステムＩＤ受信部２３が無線通信部２１を介してシステムＩＤを受信する（ステップＳ３０２）。ここで、システムＩＤ受信部２３は、システムＩＤと検出した受信強度とをシステム参加要求部２４に送信する。この処理までは、第１実施形態の処理と同様である。
【００４０】
次に子機装置２のシステム参加要求部２４は、子機装置２が具備する表示部などに子機装置２に備えられているいずれかのキーを押下するようユーザに指示する表示を出力する。そして、ユーザによってキーを押下されたことを検出すると（ステップＳ３０３）、システム参加要求部２４は、予めメモリに記録されているキーの種別と、押下されたキーの種別とを比較判定する（ステップＳ３０４）。なお予めメモリに記録されているキーの種別は、例えばユーザが事前に子機装置２に対して設定登録したキーの種別である。又は子機装置２の工場出荷時に設定登録されたキーの種別であってもよい。すなわち、システムＩＤの登録処理を行っていることを知っている当該システムのユーザのみが知り得るキーの種別であってもよい。
システム参加要求部２４は、システムＩＤを一時的にメモリに記録するとともに、メモリの属性情報記憶領域から子機装置２の属性情報を読み取り、受信強度と属性情報（ＭＡＣアドレス等）と、キー種別の比較結果である種別一致、または種別不一致の情報と、を格納したシステム参加要求の情報を生成する。そして、システム参加要求部２４は、生成したシステム参加要求を、無線通信部２１を介して親機装置１へユニキャストにより送信する（ステップＳ３０５）。
【００４１】
次に、親機装置１は、子機リスト生成部１４が無線通信部１１を介してシステム参加要求を受信する。そして、子機リスト生成部１４は、システム参加要求において、押下されたキーの種別一致を示す情報のみを抽出し（ステップＳ３０５）、当該抽出した各システム参加要求から、受信強度と子機装置２の属性情報を読み取り、各属性情報を、受信強度の強い順に並べた子機リストを生成する（ステップＳ３０６）。以降のステップＳ３０７〜ステップＳ３１２の処理は、それぞれ、第１の実施形態におけるステップＳ１０５〜ステップＳ１１０と同様である。以降の処理は第１の実施形態と同様である。
【００４２】
この処理によれば、第１の実施形態の処理の中に、子機装置２において所定のキーが押下されたことを検出するソフトウェアと、親機装置１においてシステム参加要求にキー種別一致の情報が含まれているかを判定するだけの簡易な機能処理を追加したものである。また、システムＩＤを親機装置１から受信した子機装置２のうち、システムＩＤの登録処理を行っていることを知っている当該システムを利用したユーザのみが、子機装置２を操作して、当該ユーザのみが知り得る所定のキーを押下する可能性が高いので、簡易な構成の追加だけで、１つのあるシステムに属するべき１つまたは複数の無線通信装置に対して、適切な共通するシステムＩＤを登録できる機能を備えるシステムＩＤの設定システムを提供することが可能となる。そして、子機装置２の別システムのシステムＩＤ誤付与の可能性を、より一層低減することができる。
【００４３】
図９は第４の実施形態による設定システムの処理フローを示す図である。
次に第４の実施形態による設定システムの処理フローについて説明する。
第１の実施形態同様に、まず、子機装置２に電源が投入されると、システムＩＤ設定開始検出部２２が電源投入に基づくシステムＩＤの設定開始を検出し、システムＩＤ受信部２３、システム参加要求部２４、システムＩＤ登録部２５にシステムＩＤの設定処理の開始を命令する。これにより子機装置２ではシステムＩＤの受信待機の状態に移行する。
そして、親機装置１において、何らかのシステムＩＤ送信の開始の情報が入力されると、設定モード検出部１２がシステムＩＤ設定モードであることを検出し、システムＩＤ送信部１３、子機リスト生成部１４、登録要求対象特定部１５に対してシステムＩＤの設定処理を開始した旨を示す信号を送信する。これにより親機装置１ではシステムＩＤの設定モードの状態に移行する。この処理までは、第１実施形態の処理と同様である。
【００４４】
次に、システムＩＤ設定モードの状態になると、親機装置１のシステムＩＤ送信部１３は、メモリ等からシステムＩＤ読み取る。またメモリ等に予め記録されたキー種別を読み取る。そして、これらシステムＩＤとキー種別を、無線通信部１１を介して送信する（ステップＳ４０１）。なお親機装置１のメモリに予め記録されているキー種別は、例えばユーザが事前に親機装置１に対して設定登録したキー種別であって、ユーザがシステムＩＤを登録する子機装置２で押下することを予定しているキー種別の情報である。このシステムＩＤの送信は例えば、ブロードキャストにより行われる。そして、子機装置２においてシステムＩＤ受信部２３が無線通信部２１を介してシステムＩＤを受信する（ステップＳ４０２）。ここで、システムＩＤ受信部２３は、システムＩＤと検出した受信強度とをシステム参加要求部２４に送信する。
【００４５】
次に子機装置２のシステム参加要求部２４は、子機装置２が具備する表示部などに子機装置２に備えられているいずれかのキーを押下するようユーザに指示する表示を出力する。そして、ユーザによってキーを押下されたことを検出すると（ステップＳ４０３）、システム参加要求部２４は、システムＩＤと共に親機装置１から受信したキー種別と、押下されたキー種別とを比較判定する（ステップＳ４０４）。システム参加要求部２４は、システムＩＤと共に親機装置１から受信したキー種別と、押下されたキー種別とが一致する場合には、メモリの属性情報記憶領域から子機装置２の属性情報を読み取り、システムＩＤと受信強度と属性情報とを格納したシステム参加要求の情報を生成する。そして、親機装置１から受信したキー種別と、押下されたキー種別とが一致すると判定した子機装置２のシステム参加要求部２４は、生成したシステム参加要求を、無線通信部２１を介して親機装置１へユニキャストにより送信する（ステップＳ４０５）。以降のステップＳ４０６〜ステップＳ４１２の処理は、それぞれ、第１の実施形態におけるステップＳ１０４〜ステップＳ１１０と同様である。以降の処理は第１の実施形態と同様である。
【００４６】
この処理によれば、第１の実施形態の処理の中に、親機装置１がシステムＩＤとともにキー種別を送信する処理と、子機装置２において所定のキーが押下されたことを検出する処理と、親機装置１においてシステム参加要求にキー種別一致の情報が含まれているかを判定する処理と、の各ソフトウェアの機能を追加しただけの簡易なものである。また、システムＩＤを親機装置１から受信した子機装置２のうち、システムＩＤの登録処理を行っていることを知っている当該システムを利用したユーザのみが、子機装置２を操作して、当該ユーザのみが知り得る所定のキーを押下する可能性が高いので、簡易な構成の追加だけで、１つのあるシステムに属するべき１つまたは複数の無線通信装置に対して、適切な共通するシステムＩＤを登録できる機能を備えるシステムＩＤの設定システムを提供することが可能となる。そして、子機装置２の別システムのシステムＩＤ誤付与の可能性を、より一層低減することができる。
【００４７】
上述の各実施形態の例では、親機装置１が電源投入後に、まずシステムＩＤを送信しているが、この時にはシステムＩＤを含まない信号を送信しておき、登録要求を子機装置２に送信する際に、その登録要求にシステムＩＤを格納して送信し、そのシステムＩＤを子機装置２が自装置に登録するようにしてもよい。
システムＩＤは、そのシステムでのみ通用するシステム固有のＩＤであるため、セキュリティ等を考慮すると、システム外の装置に認識されてしまうことを避けるべき情報である。よって、ブロードキャストでのシステムＩＤの送信に替えて、特定の装置に情報等を送信する際にシステムＩＤを含ませることで、例えば、近隣に同様のシステムを有する他店舗があった場合に、自店舗のシステムＩＤを他店舗の装置が入手する可能性を低減することができる。
【００４８】
なお、上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５０】
１・・・親機装置
２・・・子機装置
１１、２１・・・無線通信部
１２・・・設定モード検出部
１３・・・システムＩＤ送信部
１４・・・子機リスト生成部
１５・・・登録要求対象特定部
２２・・・システムＩＤ設定開始検出部
２３・・・システムＩＤ受信部
２４・・・システム参加要求部
２５・・・システムＩＤ登録部
２６・・・登録完了通知部
【図１】
2011097292.tif 000003
【図２】
2011097292.tif 000004
【図３】
2011097292.tif 000005
【図４】
2011097292.tif 000006
【図５】
2011097292.tif 000007
【図６】
2011097292.tif 000008
【図７】
2011097292.tif 000009
【図８】
2011097292.tif 000010
【図９】
2011097292.tif 000011